(57)【要約】【課題】物品が収納された袋が開封された後、再び封止される場合において、ごみの廃棄量を減らして、環境への悪影響を低減することができ、かつ、物品を破損することなく迅速かつ容易に開封することを目的とする。【解決手段】配送兼包装袋１は、長さ方向一端側にて形成された開口部５を有し、物品を内部に収納可能な収納部２と、開口部５側において収納部２から延設され、長さ方向に対して垂直な幅方向に長いフラップ３と、開口部５とは反対側において収納部２に接続された取っ手部４とを備え、フラップ３は、幅方向に沿って２本のミシン目１０が形成された開封部７と、開封部７よりもフラップ３の先端側において、開封部７に沿って設けられた第１封止部８と、開封部７よりも開口部５側において、開封部７に沿って設けられた第２封止部９とを有し、開封部７は、フラップ３の幅方向中間部において、２本のミシン目１０の間に貫通孔１１が形成されている。【選択図】図１
2020045108.tif 000002
【特許請求の範囲】
【請求項１】
長さ方向一端側にて形成された開口部を有し、前記開口部を介して物品を内部に収納可能な収納部と、
前記開口部側において前記収納部から延設され、前記長さ方向に対して垂直な幅方向に長いフラップと、
前記開口部とは反対側において前記収納部に接続された取っ手部と、
を備え、
前記フラップは、
前記幅方向に沿って２本のミシン目が形成された開封部と、
前記開封部よりも前記フラップの先端側において、前記開封部に沿って設けられた第１封止部と、
前記開封部よりも前記開口部側において、前記開封部に沿って設けられた第２封止部と、
を有し、
前記開封部は、前記フラップの幅方向中間部において、前記２本のミシン目の間に貫通部が形成されている合成樹脂製袋。
【請求項２】
前記貫通部は、前記長さ方向の長さが、前記２本のミシン目の間の間隔以上である請求項１に記載の合成樹脂製袋。
【請求項３】
前記貫通部は、前記幅方向に開口して形成された貫通孔である請求項１又は２に記載の合成樹脂製袋。
【請求項４】
前記ミシン目は、前記フラップを貫通した複数の切断部が互いに間隔を空けて配置されており、
前記切断部は、前記フラップの前記幅方向端部、又は、前記貫通孔から離間した位置に形成されている請求項１から３のいずれか１項に記載の合成樹脂製袋。
【請求項５】
前記ミシン目は、前記フラップを貫通した複数の切断部が互いに間隔を空けて配置されており、
前記複数の切断部は、前記フラップの前記幅方向端部の近傍領域、又は、前記貫通孔の近傍領域において、それ以外の領域よりも間隔が広く配置されている請求項１から４のいずれか１項に記載の合成樹脂製袋。
【請求項６】
請求項１から５のいずれか１項に記載の合成樹脂製袋の使用方法であって、
前記第１封止部のみを用いて前記開口部を封止するステップと、
前記貫通部を起点として前記開封部の前記２本のミシン目の間を除去して、前記第１封止部によって封止された前記開口部を開封するステップと、
前記開封部が除去された後、前記第２封止部を用いて前記開口部を封止するステップと、
を備える合成樹脂製袋の使用方法。
【請求項７】
請求項１から５のいずれか１項に記載の合成樹脂製袋の使用方法であって、
前記物品を発送する発送地点において、前記第１封止部のみを用いて前記開口部を封止するステップと、
前記物品の受け取り地点において、前記貫通部を起点として前記２本のミシン目の前記開封部を除去して、前記第１封止部によって封止された前記開口部を開封するステップと、
前記受け取り地点において、前記開封部が除去された後、前記第２封止部を用いて前記開口部を封止するステップと、
を備える合成樹脂製袋の使用方法。
【発明の詳細な説明】
【技術分野】
【０００１】
本発明は、合成樹脂製袋及びその使用方法に関するものである。
【背景技術】
【０００２】
インターネットを介した商品の売買では、販売事業者が購入者の自宅に商品を発送する場合だけでなく、商品を物流センターから実店舗に発送し、購入者が実店舗で商品を受け取る場合がある。
【０００３】
また、購入者が商品を実店舗で受け取る販売方法では、物流センターが各店舗へ複数の購入者の商品をまとめて梱包して発送するのではなく、１回の注文ごとに商品を包装して発送する場合がある。その場合、商品を受け取る購入者は、包装された袋を店舗で受け取るだけでよく、実店舗の店員も商品を注文ごとにあらためて選別する必要がない。
【０００４】
なお、下記の特許文献１では、郵送時に封筒が開いたり破損したりすること無く、また社内回覧用の封筒として複数回使用可能な封筒に関する考案が開示されている。
【先行技術文献】
【特許文献】
【０００５】
【特許文献１】実用新案登録第３１０３５９９号公報
【発明の概要】
【発明が解決しようとする課題】
【０００６】
購入者が注文ごとに包装された商品を実店舗で受け取る場合、配送用袋を店頭で開封せずに持ち帰るだけでなく、店頭で開封して内容物を確認した後、持ち帰るという両方の受け取り方法がある。図１２には、商品を実店舗で受け取る場合において、店頭で開封して内容物を確認した後、商品を持ち帰る従来方法のフローチャートを示す。
【０００７】
まず、１回の注文ごとに商品が配送用袋（例えばポリエチレン製）に収納されて（ステップＳ１１）、物流センターから商品が配送される（ステップＳ１２）。そして、店頭で内容物を確認するとき、はさみなどで配送用袋が切断されて開封され（ステップＳ１３）、その袋は廃棄される。次に、内容物の確認が行われて（ステップＳ１４）、購入などの手続きが行われた後（ステップＳ１５）、店員が新しい包装用袋に商品を包装して（ステップＳ１６）、購入者が新たに包装された商品を持ち帰っている（ステップＳ１７）。そのため、インターネットを介した商品の売買における店舗受け取りにおいて、購入者が内容物を確認する場合、配送用袋と包装用袋の少なくとも２枚の袋が消費されている。
【０００８】
本発明は、このような事情に鑑みてなされたものであって、物品が収納された袋が開封された後、再び封止される場合において、ごみの廃棄量を減らして、環境への悪影響を低減することができ、かつ、物品を破損することなく迅速かつ容易に開封することが可能な合成樹脂製袋及びその使用方法を提供することを目的とする。
【課題を解決するための手段】
【０００９】
上記課題を解決するために、本発明の合成樹脂製袋及びその使用方法は以下の手段を採用する。
すなわち、本発明に係る合成樹脂製袋は、長さ方向一端側にて形成された開口部を有し、前記開口部を介して物品を内部に収納可能な収納部と、前記開口部側において前記収納部から延設され、前記長さ方向に対して垂直な幅方向に長いフラップと、前記開口部とは反対側において前記収納部に接続された取っ手部とを備え、前記フラップは、前記幅方向に沿って２本のミシン目が形成された開封部と、前記開封部よりも前記フラップの先端側において、前記開封部に沿って設けられた第１封止部と、前記開封部よりも前記開口部側において、前記開封部に沿って設けられた第２封止部とを有し、前記開封部は、前記フラップの幅方向中間部において、前記２本のミシン目の間に貫通部が形成されている。
【００１０】
この構成によれば、フラップにおいて、開封部と、第１封止部と、第２封止部が、収納部の幅方向に沿って形成される。第１封止部は、開封部よりもフラップの先端側に設けられ、開口部を初めて封止するときに用いられる。また、開封部によって、フラップに２本の平行なミシン目が形成されていることによって、２本の平行なミシン目の間を除去することができる。第１封止部によって封止された収納部は、２本の平行なミシン目の間を除去することで開口される。第２封止部は、開封部よりも開口部側に設けられ、開封部によって開口部が開封された後、再び開口部を封止するときに用いられる。
【００１１】
さらに、開封部の幅方向中央部には貫通部が形成されていることから、貫通部を起点に開封部を除去しやすい。またさらに、収納部の端部において取っ手部が設けられているため、収納された物品を持ち運ぶことが容易である。
【００１２】
上記発明において、前記貫通部は、前記長さ方向の長さが、前記２本のミシン目の間の間隔以上でもよい。
この構成によれば、貫通部は２本のミシン目上に設けられるため、貫通部を起点として開封するとき、開封しやすくなる。
【００１３】
上記発明において、前記貫通部は、前記幅方向に開口して形成された貫通孔でもよい。
この構成によれば、幅方向に開口した貫通孔が形成されているため、開封時に、指などを引っ掛けやすくなり、開封しやすくなる。
【００１４】
上記発明において、前記ミシン目は、前記フラップを貫通した複数の切断部が互いに間隔を空けて配置されており、前記切断部は、前記フラップの前記幅方向端部、又は、前記貫通孔から離間した位置に形成されてもよい。
【００１５】
この構成によれば、フラップを貫通した複数の切断部が互いに間隔を空けて配置されることによって、ミシン目が構成され、ミシン目の切断部は、フラップの幅方向端部、又は、貫通孔から離間した位置に形成される。そのため、フラップの幅方向端部、又は、貫通孔に接した位置に切断部が形成されている場合に比べて、簡単な力で切断部を起点にして、開封部が除去されにくい。
【００１６】
上記発明において、前記ミシン目は、前記フラップを貫通した複数の切断部が互いに間隔を空けて配置されており、前記複数の切断部は、前記フラップの前記幅方向端部の近傍領域、又は、前記貫通孔の近傍領域において、それ以外の領域よりも間隔が広く配置されてもよい。
【００１７】
この構成によれば、フラップを貫通した複数の切断部が互いに間隔を空けて配置されることによって、ミシン目が構成され、ミシン目の複数の切断部は、フラップの幅方向端部の近傍領域、又は、貫通孔の近傍領域において、それ以外の領域よりも間隔が広く配置される。そのため、フラップの幅方向端部の近傍領域、又は、貫通孔の近傍領域は、複数の切断部の間隔が狭く配置されている領域に比べて、開封部が除去されにくい。
【００１８】
本発明に係る合成樹脂製袋の使用方法は、上述した合成樹脂製袋の使用方法であって、前記第１封止部のみを用いて前記開口部を封止するステップと、前記貫通部を起点として前記開封部の前記２本のミシン目の間を除去して、前記第１封止部によって封止された前記開口部を開封するステップと、前記開封部が除去された後、前記第２封止部を用いて前記開口部を封止するステップとを備える。
【００１９】
本発明に係る合成樹脂製袋の使用方法は、上述した合成樹脂製袋の使用方法であって、前記物品を発送する発送地点において、前記第１封止部のみを用いて前記開口部を封止するステップと、前記物品の受け取り地点において、前記貫通部を起点として前記２本のミシン目の前記開封部を除去して、前記第１封止部によって封止された前記開口部を開封するステップと、前記受け取り地点において、前記開封部が除去された後、前記第２封止部を用いて前記開口部を封止するステップとを備える。
【発明の効果】
【００２０】
本発明によれば、開封部を間に挟んで、２箇所に封止部が設けられていることから、開封後も再び容易に開口部を封止できる。また、開封部の幅方向中央部には貫通部が形成されていることから、貫通部を起点に開封部を除去しやすいため、物品を破損することなく迅速かつ容易に開封することが可能である。さらに、収納部の端部において取っ手部が設けられているため、収納された物品を持ち運ぶことが容易である。したがって、物品が収納された袋が開封された後、再び封止される場合において、ごみの廃棄量を減らして、環境への悪影響を低減することができる。
【図面の簡単な説明】
【００２１】
【図１】本発明の一実施形態に係る配送兼包装袋を示す正面図である。
【図２】本発明の一実施形態に係る配送兼包装袋を示す背面図である。
【図３】本発明の一実施形態に係る配送兼包装袋を示す右側面図である。
【図４】本発明の一実施形態に係る配送兼包装袋の使用方法を示すフローチャートである。
【図５】本発明の一実施形態に係る配送兼包装袋を示す斜視図であり、配送兼包装袋の使用状態を示す。
【図６】本発明の一実施形態に係る配送兼包装袋を示す斜視図であり、配送兼包装袋の使用状態を示す。
【図７】本発明の一実施形態に係る配送兼包装袋を示す斜視図であり、配送兼包装袋の使用状態を示す。
【図８】本発明の一実施形態に係る配送兼包装袋を示す斜視図であり、配送兼包装袋の使用状態を示す。
【図９】本発明の一実施形態に係る配送兼包装袋を示す斜視図であり、配送兼包装袋の使用状態を示す。
【図１０】本発明の一実施形態に係る配送兼包装袋を示す斜視図であり、配送兼包装袋の使用状態を示す。
【図１１】本発明の一実施形態に係る配送兼包装袋を示す斜視図であり、配送兼包装袋の使用状態を示す。
【図１２】商品を実店舗で受け取る場合において、店頭で開封して内容物を確認した後、商品を持ち帰る従来方法を示すフローチャートである。
【発明を実施するための形態】
【００２２】
以下に、本発明の一実施形態に係る配送兼包装袋１について、図面を参照して説明する。
本実施形態に係る配送兼包装袋１は、合成樹脂製袋の一例であり、図１〜図３に示すように、収納部２と、フラップ３と、取っ手部４を有する。配送兼包装袋１は、例えば、ポリエチレン製（例えばＬＤＰＥ製）の単層シート又は複層シートによって製作される。配送兼包装袋１は、種々のサイズや形状で形成でき、かつ、封筒と異なり、比較的容積の大きく重量の重い物を収容することができる。
【００２３】
収納部２は、例えば四角形であり、１辺のみに開口部５が形成され、３辺が閉じられている。収納部２は、内部に商品等の物品２０を収納可能である。物品２０は、開口部５を介して、収納部２の長さ方向に出し入れされる。
【００２４】
収納部２の長さ方向一端側には、開口部５が形成され、収納部２の長さ方向他端側には、取っ手部４が形成される。
【００２５】
フラップ３は、開口部５側において収納部２から延設され、収納部２の長さ方向に対して垂直な幅方向に長い。フラップ３を折り返して、折り返されたフラップ３を収納部２の外側に接着することによって開口部５が封止される。
【００２６】
取っ手部４は、収納部２に対して開口部５とは反対側において、収納部２に接続されており、収納部２の長さ方向に対して垂直な幅方向に長い。取っ手部４は、幅方向中央部において、幅方向に長い貫通孔６が形成されている。貫通孔６に手を通すことによって、配送兼包装袋１を手からぶら下げて持ち運ぶことができる。なお、本実施形態は、取っ手部４において貫通孔６が形成される場合に限定されず、例えば切れ目が少なくとも３方向に３本（長さ方向に２本、幅方向に１本）形成されることによって、手を通すことができるようにしてもよい。
【００２７】
配送兼包装袋１は、収納部２、フラップ３及び取っ手部４が一体的に形成される。例えば、ポリエチレン製のシートが取っ手部４の端部となる部分を折り曲げ線として折り畳まれている。また、配送兼包装袋１は、シートが切断されつつ溶着されて幅方向両端部が形成されており、折り畳まれている表側のシートと裏側のシートが、配送兼包装袋１の幅方向両端部において互いに溶着されている。これにより、向かい合う２辺が閉じられている。また、表側のシートと裏側のシートは、収納部２とフラップ３の間で幅方向に直線上に熱溶着されている。これにより、開口部５と対向する１辺が閉じられている。
【００２８】
フラップ３には、開封部７と、第１封止部８と、第２封止部９が、収納部２の幅方向に沿って、例えば収納部２の幅方向に対して平行に形成されている。
【００２９】
開封部７は、２本の平行なミシン目１０と、２本のミシン目１０の間に形成された貫通孔１１とを有する。ミシン目１０は、例えば、フラップ３を貫通した複数の切断部１６が互いに間隔を空けて配置されている。フラップ３に２本の平行なミシン目１０が形成されていることによって、２本の平行なミシン目１０の間を除去することができる。第１封止部８によって封止された収納部２は、２本の平行なミシン目１０の間を除去することで開口される。
【００３０】
貫通孔１１は、貫通部の一例であり、フラップ３の幅方向中間部に形成されており、貫通孔１１を起点として開封部７の２本のミシン目１０の間を除去できる。
【００３１】
第１封止部８と第２封止部９は、それぞれ、糊１２，１４と、剥離紙１３，１５とを有し（図６，図１０参照）、糊１２は、フラップ３と収納部２の外側を接着する。剥離紙１３は、糊１２を保護する紙であり、糊１２による接着を行うとき剥がされる。
第１封止部８は、開封部７よりもフラップ３の先端側に設けられる。第１封止部８は、開口部５を初めて封止するときに用いられる。
第２封止部９は、開封部７よりも開口部５側に設けられる。第２封止部９は、開封部７によって開口部５が開封された後、再び開口部５を封止するときに用いられる。
【００３２】
貫通孔１１は、長さ方向の長さが、例えば２本のミシン目１０の間の間隔以上である。これにより、貫通孔１１は２本のミシン目１０上に設けられるため、貫通孔１１を起点として開封するとき、開封しやすくなる。
【００３３】
また、貫通孔１１は、幅方向に所定の長さを有して開口して形成されている。これにより、開封時に、指などを引っ掛けやすくなり、開封しやすくなる。なお、本発明に係る貫通部は、上述した貫通孔１１に限定されない。貫通部は、例えば、孔形状を有していなくてもよく、配送兼包装袋１の長さ方向に対して平行な１本又は複数の切れ目だけでもよい。また、貫通部の長さ方向の長さは、２本のミシン目１０の間の間隔よりも短くてもよい。
【００３４】
ミシン目１０の切断部１６は、フラップ３の幅方向端部、又は、貫通孔１１から離間した位置に形成されてもよい。これにより、フラップ３の幅方向端部、又は、貫通孔１１に接した位置に切断部１６が形成されている場合に比べて、簡単な力で切断部１６を起点にして、開封部７が除去されにくくなる。したがって、配送時などにおいて、収容部が開封されにくい。
【００３５】
ミシン目１０の複数の切断部１６は、フラップ３の幅方向端部の近傍領域、又は、貫通孔１１の近傍領域において、それ以外の領域よりも間隔が広く配置されてもよい。これにより、フラップ３の幅方向端部の近傍領域、又は、貫通孔１１の近傍領域は、複数の切断部１６の間隔が狭く配置されている領域に比べて、開封部７が除去されにくくなる。したがって、配送時などにおいて、収容部が開封されにくい。
【００３６】
次に、図４〜図１１を参照して、本実施形態に係る配送兼包装袋１の使用方法について説明する。
配送兼包装袋１は、例えば、インターネットを介した商品の売買において、販売事業者が１回の注文ごとに商品を包装して発送し、購入者が実店舗で商品を受け取る場合に用いられる。
【００３７】
まず、物流センター等の商品等の物品２０を発送する発送地点において、図５に示すように、購入者によって注文された物品２０が配送兼包装袋１に収納される（ステップＳ１）。その際、第１封止部８のみを用いて開口部５を封止される。具体的には、図６に示すように、第１封止部８の剥離紙１３を剥がして、糊１２を露出させて、第１封止部８の糊１２によって、フラップ３と収納部２の外面とを接着する。
【００３８】
図７に示すように、配送兼包装袋１に収納された物品２０は、物流センターから、購入者が物品２０を受け取る実店舗へ配送される（ステップＳ２）。ミシン目１０の切断部１６が、フラップ３の幅方向端部、又は、貫通孔１１から離間した位置に形成されたり、ミシン目１０の複数の切断部１６が、フラップ３の幅方向端部の近傍領域、又は、貫通孔１１の近傍領域において、それ以外の領域よりも間隔が広く配置されていれば、配送時などにおいて、収容部が開封されにくい。
【００３９】
次に、実店舗等の受け取り地点において、配送兼包装袋１を開封して、購入者が配送兼包装袋１に収納された物品２０を確認する。
【００４０】
このとき、図８に示すように、貫通孔１１を起点として２本のミシン目１０の開封部７を除去して、第１封止部８によって封止された開口部５を開封する（ステップＳ３）。本実施形態では、開封部７の幅方向中央部に貫通孔１１が形成されていることから、貫通孔１１を起点に開封部７を除去しやすいため、物品２０を破損することなく迅速かつ容易に開封することが可能である。
【００４１】
そして、図９に示すように、収納された物品２０が一旦配送兼包装袋１の外に取り出されて、店員と購入者によって物品２０の確認が行われる（ステップＳ４）。その後、購入者による購入や、実店舗配送前に購入が確定している場合は確認完了などの手続きが行われる（ステップＳ５）。配送時に用いられた配送兼包装袋１は、開封部７のミシン目１０に沿って切断されて開封されているため、フラップ３を再度使用して開口部５を封止できる。
【００４２】
物品２０が確認された後、物品２０が配送兼包装袋１に再び収納される（ステップＳ６）。その際、第２封止部９を用いて開口部５を封止される。具体的には、図１０に示すように、第２封止部９の剥離紙１５を剥がして、糊１４を露出させて、第２封止部９の糊１４によって、フラップ３と収納部２の外面とを接着する。
【００４３】
その後、購入者は、店頭で確認した後、図１１に示すように、配送兼包装袋１に再び収納された物品２０を持ち帰る（ステップＳ７）。このとき、配送兼包装袋１には、収納部２の端部において取っ手部４が設けられているため、収納された物品２０を持ち運ぶことが容易である。したがって、物品２０が収納された袋が開封された後、再び封止される場合において、ごみの廃棄量を減らして、環境への悪影響を低減することができる。
【００４４】
以上、本実施形態によれば、フラップ３において開封部７を間に挟んで、２箇所に封止部、すなわち第１封止部８と第２封止部９が設けられていることから、開封後も再び容易に開口部５を封止できる。また、開封部７の幅方向中央部には貫通孔１１が形成されていることから、貫通孔１１を起点にしてミシン目１０間の開封部７を除去しやすいため、収容された物品２０を破損することなく迅速かつ容易に開封することが可能である。さらに、収納部２の端部において取っ手部４が設けられているため、収納された物品２０を持ち運ぶことが容易である。したがって、物品２０が収納された袋が開封された後、再び封止される場合において、ごみの廃棄量を減らして、環境への悪影響を低減することができる。
【符号の説明】
【００４５】
１    ：配送兼包装袋（合成樹脂製袋）
２    ：収納部
３    ：フラップ
４    ：取っ手部
５    ：開口部
６    ：貫通孔
７    ：開封部
８    ：第１封止部
９    ：第２封止部
１０  ：ミシン目
１１  ：貫通孔（貫通部）
１２，１４  ：糊
１３，１５  ：剥離紙
１６  ：切断部
２０  ：物品
【図１】
2020045108.tif 000003
【図２】
2020045108.tif 000004
【図３】
2020045108.tif 000005
【図４】
2020045108.tif 000006
【図５】
2020045108.tif 000007
【図６】
2020045108.tif 000008
【図７】
2020045108.tif 000009
【図８】
2020045108.tif 000010
【図９】
2020045108.tif 000011
【図１０】
2020045108.tif 000012
【図１１】
2020045108.tif 000013
【図１２】
2020045108.tif 000014